(57)【特許請求の範囲】
【請求項１】
パネルに隣接する縦梁が中央に掘削溝の内面側に開口する開口部および左右両側にリップを有するリップ付き溝形断面形からなる、溝形縦梁に使用する掘削溝土留め用パネル構造に対して切梁として使用するスピンドル本体の取り付け用コネクターであって；
スピンドル本体の一端を嵌入し固定する筒部と、該筒部の後端に左右両側に垂直方向のピン孔を有するスピンドル側枢支部とからなるスピンドル側コネクターと；
前記スピンドル側枢支部とピン結合される左右両側に垂直方向のピン孔を有するパネル側枢支部と、前記溝形縦梁内に傾き自在に収容されて前記スピンドル本体を前記開口部の溝方向に上下動可能にする傾斜板を少なくとも１枚有する緩衝部と、該パネル側枢支部を先端に結合するとともに該緩衝部を後端に結合し且つ前記開口部に上下動可能に嵌入されて係合する係合胴体部とからなるパネル側コネクターと；
前記溝形縦梁の前記開口部および前記左右両側のリップに外側から密着し、且つ前記パネル側コネクターのパネル側枢支部が貫通した状態で前記係合胴体部が係合してスピンドル本体の上下動を押さえ可能にするパネル側コネクター用孔と、後記脱落防止具の係合棒が通される係合棒用孔とを有する、上下動押さえ具と；
前記パネル側コネクターの緩衝部の脱落を防止する脱落防止板と前記係合棒を有する固定板とからなる前記パネル側コネクターの脱落防止具と；
前記上下動押さえ具と前記脱落防止具の前記係合棒とを係止する止め具と；
により構成したことを特徴とする掘削溝土留め用パネル構造の切梁取り付け用コネクター。
【請求項２】
前記パネル側コネクターの緩衝部が、前記係合胴体部の後端と結合したプレートの外面上において、中央縦方向に固定された傾斜板と、中央横方向に固定された該傾斜板を支持する傾斜板支持棒と、該傾斜板及び該傾斜板支持棒が形成する四方の部分にそれぞれ取り付けられたクッション材とからなることを特徴とする請求項１記載の掘削溝土留め用パネル構造の切梁取り付け用コネクター。
【請求項３】
前記パネル側コネクターの緩衝部が、前記係合胴体部の後端と結合したプレートの外面上において、左右両側縦方向にそれぞれ固定された２枚の傾斜板と、中央横方向に固定された該傾斜板を支持する傾斜板支持棒と、該２枚の傾斜板及び該傾斜板支持棒が形成する上下の部分においてそれぞれ取り付けられたクッション材とからなることを特徴とする請求項１記載の掘削溝土留め用パネル構造の切梁取り付け用コネクター。
【請求項４】
前記緩衝部の前記傾斜板が外方にくの字状に突き出た形状であり、該くの字状の形状が垂直な平面と接した場合に作る角度が上下でそれぞれ５°〜７°であることを特徴とする請求項１〜３の何れか１項に記載の掘削溝土留め用パネル構造の切梁取り付け用コネクター。
【請求項５】
前記緩衝部の前記傾斜板支持棒が丸形乃至半丸形断面形であり、該支持棒の厚さが該傾斜板の高さと同じ高さであることを特徴とする請求項２〜４の何れか１項に記載の掘削溝土留め用パネル構造の切梁取り付け用コネクター。
【請求項６】
前記上下動押さえ具の前記パネル側コネクター用孔が、角形断面形であり、前記スピンドル本体の上下動を上下にそれぞれ５°〜７°に押さえ可能の大きさであることを特徴とする請求項１〜５の何れか１項に記載の掘削溝土留め用パネル構造の切梁取り付け用コネクター。
【請求項７】
前記上下動押さえ具が、上部に前記緩衝部の上方に張り出して配置される土砂侵入防止部と前記溝形縦梁の前記開口部と係合する土砂侵入防止部用係合部とを有することを特徴とする請求項１〜６の何れか１項に記載の掘削溝土留め用パネル構造の切梁取り付け用コネクター。
【請求項８】
前記土砂侵入防止部が前記緩衝部の上方にくの字状に傾斜して張り出し、くの字状の角度が１２０°〜１４０°であることを特徴とする請求項７に記載の掘削溝土留め用パネル構造の切梁取り付け用コネクター。
【請求項９】
前記パネル側コネクターの前記係合胴体部が、前記パネル側コネクターの緩衝部を前記溝形縦梁に収容した場合において、前記パネル側コネクターの枢支部が前記上下動押さえ具のパネル側コネクター用孔から突出する大きさであることを特徴とする請求項１〜８の何れか１項に記載の掘削溝土留め用パネル構造の切梁取り付け用コネクター。
【請求項１０】
前記脱落防止具が山形断面形であることを特徴とする請求項１〜９の何れか１項に記載の掘削溝土留め用パネル構造の切梁取り付け用コネクター。
【請求項１１】
前記脱落防止具の前記係合棒が、前記溝形縦梁の前記開口部に通される１本の係合棒及び前記左右両側のリップにあけられた左右両側の孔に通される２本の係合棒からなり、これらの３本の係合棒はそれぞれ前記上下動押さえ具の前記係合棒用孔に更に係合し、前記開口部に通される１本の係合棒は止め具を通すピン孔を有することを特徴とする請求項１〜１０の何れか１項に記載の掘削溝土留め用パネル構造の切梁取り付け用コネクター。
【請求項１２】
前記止め具が前記脱落防止具の前記開口部に通される１本の係合棒にあけた孔に通すバネピンであることを特徴とする請求項１１記載の掘削溝土留め用パネル構造の切梁取り付け用コネクター。
【発明の詳細な説明】
【０００１】
【発明が属する技術分野】
本発明は、都市ガスや上下水道などの主管を埋設するに際し、掘削した溝側壁の土砂の崩壊を防止するために、掘削溝の両側に沿って連続的に起立させる、掘削溝土留め用パネル構造に対して、溝幅方向の切梁としての伸縮自在のスピンドル本体を水平回動した際、主管を降下する通路幅を大きく確保するようにしたスピンドル本体の取り付け用コネクターの改良に関する。
【０００２】
【従来の技術】
実公昭５６−５１０８６号公報の図３に示すように、ガイドレールは掘削溝の長手方向に背中合わせに開口するリップ溝形鋼と、掘削溝の内側に向かって開口するリップ溝形鋼とから構成され、リップ溝形鋼は、掘削溝の長手方向に隣接するガイドレールの対向するリップ溝形鋼間に上下にスライド可能にローラにて係止された、パネルよりも掘削溝内に突出している事例がある。なお、実公昭５６−５１０８６号公報の図１２に示すように、スピンドルは掘削溝内に突出している固定部と回動部からなるブラケットによって支持されている。
また、特開平７−１３８９５５号公報の図２に示すように、上記スピンドル両端部の構造を改善して、スピンドル本体を水平方向に回動した際、管を降下する掘削溝内の通路幅を大きく確保出来るようにした事例がある。
【０００３】
【発明が解決しようとする課題】
上記各公報に記載のスピンドル両端部における構造である、スピンドル本体の取り付け用コネクターの全部又は大部分は、パネル及び縦梁よりも掘削溝内に突出している。
このように、掘削溝開削工事において土留材切梁をパネルに連結するスピンドル本体の取り付け用コネクターは掘削溝側に突出しているので、管を埋設する際に障害になる。このため、出来るだけ突出部を少なくすることで作業スペースを確保することが求められている。
【０００４】
本発明は、スピンドル本体の取り付け用コネクターのパネル側コネクターの緩衝部を縦梁（Ｃ型鋼）内に収容することで、掘削溝の幅を狭くして、作業スペースを確保することを可能とするスピンドル本体の取り付け用コネクターを提供することを目的とする。
【０００５】
【課題を解決するための手段】
本発明は、上記の技術的課題を解決するものであり、その要旨とするところは以下の通りである。
【０００６】
（１）パネルに隣接する縦梁が中央に掘削溝の内面側に開口する開口部および左右両側にリップを有するリップ付き溝形断面形からなる、溝形縦梁に使用する掘削溝土留め用パネル構造に対して切梁として使用するスピンドル本体の取り付け用コネクターであって；
スピンドル本体の一端を嵌入し固定する筒部と、該筒部の後端に左右両側に垂直方向のピン孔を有するスピンドル側枢支部とからなるスピンドル側コネクターと；
前記スピンドル側枢支部とピン結合される左右両側に垂直方向のピン孔を有するパネル側枢支部と、前記溝形縦梁内に傾き自在に収容されて前記スピンドル本体を前記開口部の溝方向に上下動可能にする傾斜板を少なくとも１枚有する緩衝部と、該パネル側枢支部を先端に結合するとともに該緩衝部を後端に結合し且つ前記開口部に上下動可能に嵌入されて係合する係合胴体部とからなるパネル側コネクターと；
前記溝形縦梁の前記開口部および前記左右両側のリップに外側から密着し、且つ前記パネル側コネクターのパネル側枢支部が貫通した状態で前記係合胴体部が係合してスピンドル本体の上下動を押さえ可能にするパネル側コネクター用孔と、後記脱落防止具の係合棒が通される係合棒用孔とを有する、上下動押さえ具と；
前記パネル側コネクターの緩衝部の脱落を防止する脱落防止板と前記係合棒を有する固定板とからなる前記パネル側コネクターの脱落防止具と；
前記上下動押さえ具と前記脱落防止具の前記係合棒とを係止する止め具と；
により構成したことを特徴とする掘削溝土留め用パネル構造の切梁取り付け用コネクター。
【０００７】
（２）前記パネル側コネクターの緩衝部が、前記係合胴体部の後端と結合したプレートの外面上において、中央縦方向に固定された傾斜板と、中央横方向に固定された該傾斜板を支持する傾斜板支持棒と、該傾斜板及び該傾斜板支持棒が形成する四方の部分にそれぞれ取り付けられたクッション材とからなることを特徴とする（１）記載の掘削溝土留め用パネル構造の切梁取り付け用コネクター。
【０００８】
（３）前記パネル側コネクターの緩衝部が、前記係合胴体部の後端と結合したプレートの外面上において、左右両側縦方向にそれぞれ固定された２枚の傾斜板と、中央横方向に固定された該傾斜板を支持する傾斜板支持棒と、該２枚の傾斜板及び該傾斜板支持棒が形成する上下の部分においてそれぞれ取り付けられたクッション材とからなることを特徴とする（１）記載の掘削溝土留め用パネル構造の切梁取り付け用コネクター。
【０００９】
（４）前記緩衝部の前記傾斜板が外方にくの字状に突き出た形状であり、該くの字状の形状が垂直な平面と接した場合に作る角度が上下でそれぞれ５°〜７°であることを特徴とする（１）〜（３）の何れか１項に記載の掘削溝土留め用パネル構造の切梁取り付け用コネクター。
【００１０】
（５）前記緩衝部の前記傾斜板支持棒が丸形乃至半丸形断面形であり、該支持棒の厚さが該傾斜板の高さ以下〜該傾斜板の高さと同じ高さであることを特徴とする（２）〜（４）の何れか１項に記載の掘削溝土留め用パネル構造の切梁取り付け用コネクター。
【００１１】
（６）前記上下動押さえ具の前記パネル側コネクター用孔が、角形断面形であり、前記スピンドル本体の上下動を上下にそれぞれ５°〜７°に押さえ可能の大きさであることを特徴とする（１）〜（５）の何れか１項に記載の掘削溝土留め用パネル構造の切梁取り付け用コネクター。
【００１２】
（７）前記上下動押さえ具が、上部に前記緩衝部の上方に張り出して配置される土砂侵入防止部と前記溝形縦梁の前記開口部と係合する土砂侵入防止部用係合部とを有することを特徴とする（１）〜（６）の何れか１項に記載の掘削溝土留め用パネル構造の切梁取り付け用コネクター。
【００１３】
（８）前記土砂侵入防止部が前記緩衝部の上方にくの字状に傾斜して張り出し  、くの字状の角度が１２０°〜１４０°であることを特徴とする（７）項に記載の掘削溝土留め用パネル構造の切梁取り付け用コネクター。
【００１５】
（９）前記パネル側コネクターの前記係合胴体部が、前記パネル側コネクターの緩衝部を前記溝形縦梁に収容した場合において、前記パネル側コネクターの枢支部が前記上下動押さえ具のパネル側コネクター用孔から突出する大きさであることを特徴とする（１）〜（８）の何れか１項に記載の掘削溝土留め用パネル構造の切梁取り付け用コネクター。
【００１６】
（１０）前記脱落防止具が山形断面形であることを特徴とする（１）〜（９）の何れか１項に記載の掘削溝土留め用パネル構造の切梁取り付け用コネクター。
【００１７】
（１１）前記脱落防止具の前記係合棒が、前記溝形縦梁の前記開口部に通される１本の係合棒及び前記左右両側のリップにあけられた左右両側の孔に通される２本の係合棒からなり、これらの３本の係合棒はそれぞれ前記上下動押さえ具の前記係合棒用孔に更に係合し、前記開口部に通される１本の係合棒は止め具を通すピン孔を有することを特徴とする（１）〜（１０）の何れか１項に記載の掘削溝土留め用パネル構造の切梁取り付け用コネクター。
【００１８】
（１２）前記止め具が前記脱落防止具の前記開口部に通される１本の係合棒にあけた孔に通すバネピンであることを特徴とする（１１）記載の掘削溝土留め用パネル構造の切梁取り付け用コネクター。
【００１９】
【作用】
パネルの建て込み引き抜きに際し、切梁として使用するスピンドル本体をパネルに取付けた状態で作業を行ない、パネルを左右交互に押し込み又は引き抜きを行なう。このときスピンドル本体は概ね５°〜７°上下にそれぞれ傾斜する。
【００２０】
本発明の掘削溝土留め用パネル構造に対して切梁として使用するスピンドル本体の取り付け用コネクターは、パネル側コネクターを縦梁内に収容したので、スピンドル本体の取り付け用コネクターの脱落を防止するとともに上下動を押さえるように構成したものである。
【００２１】
本発明のスピンドル本体の取り付け用コネクターは、このように構成したので、パネルは建て込み引き抜きに際し上下動と共に前後方向にもずれて梯形になることもあるが、これらの動きに柔軟に対応出来る余裕がある。
【００２２】
【発明の実施の形態】
本発明のスピンドル取り付け用コネクターの一実施例を図によって説明する。
【００２３】
図１において、１は掘削溝Ａの両側に沿って連続的に起立させる、掘削溝土留め用パネル構造の溝形縦梁、２は土留めパネル、３は掘削溝Ａの溝幅方向で溝形縦梁１に対向する切梁としてのスピンドル本体、４は本発明のスピンドル取り付け用コネクターである。
【００２４】
本発明の掘削溝土留め用パネル構造の切梁取り付けコネクターは、図２に示す、スピンドル側コネクター５と、パネル側コネクター６と、上下動押さえ具７と、脱落防止具８と、係止ピン９、１０、１０’、１１とからなっている。
【００２５】
図３において、本発明の掘削溝土留め用パネル構造の切梁取り付けコネクターを用いてスピンドル本体３と溝形縦梁１を連結した状態を掘削溝Ａ側から見た斜視図を示す。この図ではスピンドル本体３は図１に示すような状態ではなく単に連結されている状態であり、パネル側コネクター６の係合胴体部１２が上下動押さえ具７のパネル側コネクター用孔１３から少し突出しているので、スビンドル本体３を水平回動するときは押し込みながら行う。
【００２６】
図４は、図１における連結状態において溝形縦梁１内の状態を示す側面及び部分断面説明図である。パネル側コネクター６の緩衝部１７はスピンドル本体３によって溝形縦梁１の内壁に強く押し付けられている。２４は傾斜板、２６ｂ、２６ｃはクッション材、２５は傾斜板支持棒、２３はプレート、１２は係合胴体部、１８はパネル側枢支部、１５はスピンドル側枢支部、１４は筒部、７は上下動押さえ具、８は脱落防止具、１９ｄは脱落防止具８の固定板の裏側に突出した安定棒、１１は止め具である。
【００２７】
図５は図１における連結状態における平面説明図である。２点鎖線は、スピンドル側コネクターの枢支部１５’から係止ピン１０’を引き抜き、スピンドル側コネクターの枢支部１５に嵌入した係止ピン１０を軸としてスピンドル本体３を掘削溝の長手方向に９０度水平回動した場合の状態を示している。１は溝形縦梁、２は土留めパネル、１７は緩衝部、２４は傾斜板、２６ａ、２６ｂはクッション材、２５は傾斜板支持棒、２３はプレート、７は上下動押さえ具、１２は係合胴体部、１４は筒部、３はスピンドル本体である。
【００２８】
図２に示すように、スピンドル側コネクター５は筒部１４とスピンドル側枢支部１５、１５’とからなり、スピンドル本体３の一端はスピンドル側コネクター５の筒部１４に嵌入され、これらにあけられたピン孔１６、１６’に差し込まれるピン９によって係止される。
【００２９】
パネル側コネクター６は、緩衝部１７、係合胴体部１２及びパネル側枢支部１８、１８’と上下動押さえ具７及び脱落防止具８とからなり、上下動押さえ具７はパネル側コネクター用孔１３と係合棒用孔１９ａ、１９ａ’、１９ａ”を有し、そして脱落防止具８は脱落防止板２０と係合棒１９、１９’、１９”及びこれらの反対側に突出した安定棒１９ｄを有する固定板２２とからなる。
【００３０】
図６に示すように、パネル側コネクター６の緩衝部１７は、係合胴体部１２の後端と結合したプレート２３の外面上において、外方にくの字状に突き出た傾斜板２４と、中央水平方向に固定され且つ傾斜板２４と垂直に交差して結合して傾斜板２４を支持する傾斜板支持棒２５と、傾斜板２４及び傾斜板支持棒２５が形成する四方の部分にそれぞれ取り付けられたクッション材２６ａ、２６ｂ、２６ｃ、２６ｄとからなる。
【００３１】
緩衝部１７の傾斜板支持棒２５は丸形乃至半丸形断面形であってもよく、該支持棒の厚さは、該傾斜板の高さ以下であってもよいが、該傾斜板の高さと同じ高さが好ましい。
図４に示す例では、傾斜板支持棒２５の厚さは傾斜板２５の高さのおよそ２分１である。図１０に示す例では、傾斜板支持棒２５の厚さは傾斜板２４の高さと同じであり、最も緩衝部１７が安定する。
【００３２】
なお、パネル側コネクター６の緩衝部１７の別の実施例として、係合胴体部１２の後端と結合したプレート２３の外面上において、外方にくの字状に突き出た傾斜板２４を２枚とし、傾斜板支持棒２５の左右両側に設ける構成としてもよい。
【００３３】
脱落防止具８の脱落防止板２０が緩衝部１７の下方に配置される所望の高さにおいて、溝形縦梁１内において、脱落防止具８の係合棒１９、１９’、１９”を溝形縦梁１の開口部２７および左右両側のリップ２８、２８’にあけられた左右両側の孔２８ａ、２８ａ’にそれぞれ通して突出させる。緩衝部１７を溝形縦梁１内に収容し、パネル側枢支部１８、１８’を溝形縦梁１の開口部２７から突出させ、係合胴体部１２を溝形縦梁１の開口部２７に係合させる。
また、溝形縦梁１の外側から、突出したパネル側枢支部１８、１８’を上下動押さえ具７のパネル側コネクター用孔１３に通して係合させる。脱落防止具８の突出した係合棒１９、１９’、１９”を上下動押さえ具７の係合棒用孔１９ａ、１９ａ’、１９ａ”に通して係合する。上下動押さえ具７を、溝形縦梁１の開口部２７および左右両側のリップ２８、２８’に密着させて、溝形縦梁１の内側の脱落防止具８と外側の上下動押さえ具７とで溝形縦梁１の開口部２７および左右両側のリップ２８、２８’を挟み、上下動押さえ具７の係合棒用孔１９ａ、１９ａ’、１９ａ”から係合棒１９、１９’、１９”を突出させる。
【００３４】
図７に示すように、突出した脱落防止具８の係合棒１９’を止め具（係止ピン）１１によって係止する。５はスピンドル側コネクター、１０、１０’は係止ピン、７は上下動押さえ具、１９、１９’、１９”は係合棒、１は縦梁、２７は開口部、２８、２８’はリップ、２８ａ、２８ａ’はリップにあけた孔、６はパネル側コネクターである。
【００３５】
スピンドル側枢支部１５、１５’とパネル側枢支部１８、１８’とは、これらがそれぞれ有する垂直方向のピン孔１５ａ、１５ａ’、１８ａ、１８ａ’に差し込まれた係止ピン１０、１０’により係止される。
【００３６】
図８に、図２に示す本発明の上下動押さえ具７を改良した、本発明の上下動押さえ具７’を示す。
これは、バネル側コネクター６の緩衝部１７が溝形縦梁１の内部に収納されたので、土砂が上から侵入した場合、緩衝部１７に挟まって上下動がしにくくなる恐れがある。それを防ぐために、上下動押さえ具７の上部に土砂侵入防止用の部分を設け、これを溝形縦梁１の内部に挿入してなるものである。
上下動押さえ具７’は、上下動押さえ具７と緩衝部１７の上方に張り出して配置される土砂侵入防止部２９とこれらを両端に有するとともに溝形縦梁１の開口部２７と係合する土砂侵入防止部用係合部３０とからなっている。
【００３７】
土砂の侵入の防止のためには、土砂侵入防止部２９が緩衝部１７の上方にくの字状に傾斜して張り出し、くの字状の角度は１２０°〜１４０°が好ましい。
図９（ａ）（ｂ）は、くの字状の角度が１４０°の例である。
図１０及び図１１は、溝形縦梁１内において、土砂侵入防止部２９が緩衝部１７の上方にくの字状に傾斜して張り出して配置された例である。
図１２は、スピンドル本体３を設置する前の状態であって、上下動押さえ具７’を用いて溝形縦梁１に本発明のコネクターを設置した状態を掘削溝側から見た例の説明図である。
【００３８】
上下動押さえ具７’の設置は、土砂侵入防止部２９を溝形縦梁１内に収納するとともに、土砂侵入防止部２９の左右の下端と上下動押さえ具７の左右の上端と土砂侵入防止部用係合部３０の左右の側面とからなるコの字状の断面形の、リップ係合用溝３１、３１’に、溝形縦梁１の左右のリップ２８、２８’を上下動可能に嵌入して位置決めして行う。
【００３９】
【発明の効果】
本発明によれば、スピンドル本体の取り付け用コネクターのパネル側コネクターの緩衝部を溝形縦梁内に収容したので、両側の緩衝部の厚さとしておよそ７ｃｍ〔片側で３．６ｃｍｍなので両側で７．２ｃｍ（約７ｃｍ）〕従来より溝の掘削幅を狭くすることが出来た。また、緩衝部の傾斜板は従来２枚使用していたが、１枚にすることが出来た。
【図面の簡単な説明】
【図１】本発明の掘削溝土留め用パネル構造の切梁取り付け用コネクターの使用状態を示す概略斜視図である。
【図２】本発明の掘削溝土留め用パネル構造の切梁取り付け用コネクターを示す分解斜視図である。
【図３】本発明の掘削溝土留め用パネル構造の切梁取り付け用コネクターを用いてスピンドル本体を溝形縦梁に連結させた状態を示す斜視図である。
【図４】図３の溝形縦梁内の状態を説明する部分断面側面説明図である。
【図５】図３の溝形縦梁内の状態を説明する平面説明図である。
【図６】図２の緩衝部１７の状態を説明する斜視図である。
【図７】図３の内、スピンドル本体３の一端をスピンドル側コネクターに嵌入する前の状態を示す正面説明図である。
【図８】本発明の上下動押さえ具７’の状態を説明する斜視図である。
【図９】（ａ）は図８の正面説明図であり、（ｂ）は図８の側面説明図である。
【図１０】図３において、本発明の上下動押さえ具７の代わりに本発明の上下動押さえ具７’を使用した例であって、本発明の上下動押さえ具７’の溝形縦梁１内の状態を説明する部分断面側面説明図である。
【図１１】図１０の溝形縦梁内の状態を説明する平面説明図である。
【図１２】図１０の内、スピンドル本体３の一端をスピンドル側コネクターに嵌入する前の状態を示す正面説明図である。
【符号の説明】
１        掘削溝土留め用パネル構造の溝形縦梁
２        土留めパネル
３        スピンドル本体
４        スピンドル取り付け用コネクター
５        スピンドル側コネクター
６        パネル側コネクター
７        上下動押さえ具
７’      上下動押さえ具
８        脱落防止具
９        係止ピン
１０、１０’  係止ピン
１１      係止ピン
１２      係合胴体部
１３      パネル側コネクター用孔
１４      筒部１４
１５、１５’  スピンドル側枢支部
１６、１６’  ピン孔
１７      緩衝部
１８、１８’パネル側枢支部
１９、１９’、１９”  係合棒
１９ｄ    安定棒
１９ａ、１９ａ’、１９ａ”係合棒用孔
２０      脱落防止板
２２      固定板２２
２３      プレート
２４      傾斜板
２５      傾斜板支持棒
２６ａ、２６ｂ、２６ｃ、２６ｄ  クッション材
２７      開口部
２８、２８’  左右両側のリップ
２８ａ、２８ａ’  左右両側のリップにあけられた左右両側の孔
２９      土砂侵入防止部
３０      土砂侵入防止部用係合部
３１、３１’  リップ係合用溝
【図１】
0003937144.tif 000002
【図２】
0003937144.tif 000003
【図３】
0003937144.tif 000004
【図４】
0003937144.tif 000005
【図５】
0003937144.tif 000006
【図６】
0003937144.tif 000007
【図７】
0003937144.tif 000008
【図８】
0003937144.tif 000009
【図９】
0003937144.tif 000010
【図１０】
0003937144.tif 000011
【図１１】
0003937144.tif 000012
【図１２】
0003937144.tif 000013